(57)【要約】      （修正有）【課題】光触媒として機能する二酸化チタンを利用して消臭を行う消臭器具であって、高い消臭効果が持続して発揮される消臭器具を提供する。【解決手段】二酸化チタンが含まれた塗料を含浸又は塗布させてなる複数のシート片３と、該複数のシート片３が収容され且つ通気性及び透光性を有する袋体を備え、複数のシート片３の少なくとも一部のシート片３は、片面又は両面に塗料が露出するように該塗料を含浸又は塗布したシート片本体６と、該シート片本体６の塗料が露出した面である露出面６ａをカバーして覆うカバー７とを有し、シート片本体６又はカバー７は、通気性及び光透性を有する。【選択図】図５
0003207598.tif 000002
【実用新案登録請求の範囲】
【請求項１】
光触媒として機能する二酸化チタンを利用して消臭を行う消臭器具であって、
二酸化チタンが含まれた塗料を含浸又は塗布させてなる複数のシート片と、
該複数のシート片が収容され且つ通気性及び透光性を有する袋体を備え、
前記複数のシート片の少なくとも一部のシート片は、片面又は両面に上記塗料が露出するように該塗料を含浸又は塗布したシート片本体と、該シート片本体の上記塗料が露出した面である露出面をカバーして覆うカバーとを有し、
前記シート片本体又はカバーは、通気性及び光透性を有する
ことを特徴とする消臭器具。
【請求項２】
前記塗料には断熱効果を発揮する成分も含有された
請求項１に記載の消臭器具。
【請求項３】
前記袋体はメッシュ状のフレキシブルに変形可能な布から成形された
請求項１乃至２の何れかに記載の消臭器具。
【請求項４】
前記袋体はフレキシブルに変形可能なパイプ状に成形された
請求項１乃至３の何れかに記載の消臭器具。
【請求項５】
前記袋体のパイプ形状の端部側には結束具が設けられた
請求項４に記載の消臭器具。
【請求項６】
前記結束具はフレキシブルに変形可能な帯状体又は紐状体である
請求項５に記載の消臭器具。
【請求項７】
前記帯状体は上記袋体のパイプ形状の両端側にそれぞれ設けられた
請求項６に記載の消臭器具。
【請求項８】
前記シート片本体は織布、不織布、フェルト又は和紙によって構成された
請求項１乃至７の何れかに記載の消臭器具。
【考案の詳細な説明】
【技術分野】
【０００１】
この考案は、光触媒として機能する二酸化チタンを利用して消臭を行う消臭器具に関する。
【背景技術】
【０００２】
二酸化チタンが付着された複数のブロック片と、該複数のブロック片が収容され且つ通気性及び透光性を有する袋体を備え、消臭効果があり且つ光触媒として機能する二酸化チタンを、ブロック片に付着させた消臭器具が公知になっている（例えば、特許文献１を参照。）。
【先行技術文献】
【特許文献】
【０００３】
【特許文献１】実用新案登録第３１１９６６２号公報
【考案の概要】
【考案が解決しようとする課題】
【０００４】
しかし、上記文献の消臭器具は、袋体の内部でブロック片同士が擦れ合う等によって、ブロック片の表面側の二酸化チタンが剥離し、消臭効果が低下するという欠点がある一方で、ブロック片の内部に含浸された二酸化チタンは光触媒としての機能が低下し、消臭効果が発揮され難いという欠点がある。
【０００５】
本考案は、光触媒として機能する二酸化チタンを利用して消臭を行う消臭器具であって、高い消臭効果が持続して発揮される消臭器具を提供することを課題とする。
【課題を解決するための手段】
【０００６】
上記課題を解決するため、光触媒として機能する二酸化チタンを利用して消臭を行う消臭器具であって、二酸化チタンが含まれた塗料を含浸又は塗布させてなる複数のシート片と、該複数のシート片が収容され且つ通気性及び透光性を有する袋体を備え、前記複数のシート片の少なくとも一部のシート片は、片面又は両面に上記塗料が露出するように該塗料を含浸又は塗布したシート片本体と、該シート片本体の上記塗料が露出した面である露出面をカバーして覆うカバーとを有し、前記シート片本体又はカバーは、通気性及び光透性を有することを特徴とする。
【０００７】
前記塗料には断熱効果を発揮する成分も含有されたものとしてもよい。
【０００８】
前記袋体はメッシュ状のフレキシブルに変形可能な布から成形されたものとしてもよい。
【０００９】
前記袋体はフレキシブルに変形可能なパイプ状に成形されたものとしてもよい。
【００１０】
前記袋体のパイプ形状の端部側には結束具が設けられたものとしてもよい。
【００１１】
前記結束具はフレキシブルに変形可能な帯状体又は紐状体であるものとしてもよい。
【００１２】
前記帯状体は上記袋体のパイプ形状の両端側にそれぞれ設けられたものとしてもよい。
【００１３】
前記シート片本体は織布、不織布、フェルト又は和紙によって構成されたものとしてもよい。
【考案の効果】
【００１４】
二酸化チタンが含まれた塗料を含浸又は塗布させてなるシート片の片面又は両面は、該塗料が露出する露出面になり、この露出面は、カバーによって保護されて塗料の剥離が防止されるとともに、該露出面との空気の接触や光の照射は、通気性及び光透性を有するシート片本体又はカバーによって確保されるため、高い消臭効果を持続して発揮させることが可能になる。
【図面の簡単な説明】
【００１５】
【図１】本発明を適用した消臭器具の使用例を説明する平面図である。
【図２】図１の消臭器具の平面図である。
【図３】図１の消臭器具の側面図である。
【図４】図２のＡ−Ａ断面図である。
【図５】シート片の断面図である。
【図６】シート片の形成手段の一例を示す側面図である。
【図７】（Ａ），（Ｂ）はそれぞれ変形シートの変形例の構成を示す断面図である。
【考案を実施するための形態】
【００１６】
図１は、本発明を適用した消臭器具の使用例を説明する平面図である。本発明を適用した消臭器具１は、消臭したい空間が触れる場所に設定される。例えば、図１に示す例では、消臭器具１が空気を流動させる扇風機５１の空気取入口側（言換えると、空気の流動経路、或いは循環経路の途中）に設置され、その部屋（空間）全体の空気を消臭している。
【００１７】
図２，図３は図１の消臭器具の平面図及び側面図であり、図４は図２のＡ−Ａ断面図である。消臭器具１は、フレキシブルに変更可能なパイプ状に成形された袋体２と、該袋体２内に収容された多数のシート片３と、前記袋体２のパイプ形状の両端部にそれぞれ設けられた結束具４，４とを備えている。
【００１８】
上記袋体２は、十分な通気性及び光透性を有し且つフレキシブルに変更可能なメッシュ生地（メッシュ状の布）から構成されている。詳しく説明すると、このメッシュ生地の方形状の布を、短軸方向の中央部で、二つ折りして長辺部同士を内側に折返して縫い合せてパイプ状に形成し、このパイプ形状の一端部を内側に折返して縫い合せ、この状態で、開放されている他端側から全てのシート片３を挿入して収容し、その後、この他端部を縫い合せて閉じ、袋体２内部のシート片３が漏れ出ないようにする。
【００１９】
メッシュ生地がフレキシブルに変更可能であるため、多数のシート片３を充填した袋体２もフレキシブルに変更させることが可能である。例えば、中途部を屈曲させて全体をくの字状とすることや、パイプ形状の端部同士を結束具４，４によって結束させて全体をドーナツ状とすることや、図１に示すように、中途部の２カ所を屈曲させて全体をコの字状とすることが可能である。
【００２０】
上記結束具４は、フレキシブルに変更可能な帯状体又は紐状体（図示する例では、帯状体）である。この結束具４によって、袋体２のパイプ形状の端部側を、他の部分（例えば、図１に示す扇風機５１）に結束させて固定させることや、袋体２のパイプ形状の両端側同士を結束させることが可能になる。
【００２１】
図５は、シート片の断面図である。シート片３は、フレキシブルに変形可能な方形シート状の基材（シート片本体）６と、該基材６の少なくとも片面側をカバーするカバー７とを有している。
【００２２】
基材６を構成する材料としては、繊維を撚って糸にしたものを織ってつくる織布や、繊維を織らずに絡み合わせてシート状にした不織布や、動物の毛や化学繊維を薄く板状に圧縮してつくるシート状のフェルトや、植物などの長い繊維を絡ませながら薄くシート状にした和紙等を用いる。これらの材料によって構成される基材６は、曲げ伸ばし自在で破損し難く、十分な通気性、通水性及び光透性を有し、洗濯も行い易い。
【００２３】
この基材６の片面又は両面に、消臭効果及び断熱効果を有する液状の塗料を塗布又は含浸させ、その後に乾燥させて固体化することにより、該片面又は両面側に、塗料が含有された含有層８が形成される。そして、該基材６の前記含有層８が形成された側の面は、前記塗料に含有された有効成分が露出する露出面６ａになる。
【００２４】
この塗料は、アルミノ珪酸ソーダガラスと、顔料と、樹脂エマルジョンと、分散剤と、粘着剤等を配合し、水を加えて撹拌混合することによって得られる白色の溶液である。
【００２５】
アルミノ珪酸ソーダガラスは、粒径が１０〜５０μｍとなる中空ビーズ構造であり、断熱効果を有する。このアルミノ珪酸ソーダガラスの含有量は、塗料の全重量の１０〜２０重量％である。ちなみに、アルミノ珪酸ソーダガラスの含有量が１０重量％未満の場合には、断熱性能が低下し、２０重量％を超えると、基材６への付着力が低下するため、含有量を上記のように設定している。
【００２６】
顔料は、光を反射し且つ消臭効果を発揮する光触媒として機能する白色の二酸化チタンからなる。
【００２７】
樹脂エマルジョンは水溶性のアクリルエマルジョン樹脂であり、上記分散剤は、アルミノ珪酸ソーダガラスと、顔料と、樹脂エマルジョンとからなる成分材料の混合を均一にするためのものであり、粘着剤は均一に混合された上記成分材料の分離や沈殿を抑制するためのものである。
【００２８】
これらを混合した液状の塗料を、ノズルから噴射等によって、基材６の露出面６ａに均一に塗布した後に乾燥させることにより、該塗料が露出面６ａから所定深さまで含浸されて上述の含有層８が形成される。そして、この露出面６ａには、有効成分として、断熱機能を有する有効成分であるアルミノ珪酸ソーダガラスと、消臭効果を有する有効成分である二酸化チタンとが露出している。
【００２９】
すなわち、塗料は、断熱塗料且つ消臭塗料であり、基材６の表面に塗布して含浸させることにより、折り曲げ等に強く、耐久性の高い断熱層８を、基材６の表層に形成する。このため、基材６も、断熱塗料を含浸させることが可能なように、上記のような材料から構成されている。
【００３０】
なお、基材６を液状の塗料に浸漬させることにより、該基材６に塗料を含浸させてもよい。この他、この塗料を、基材６の表面のみ塗布してもよい。この場合、基材６に塗料を含浸させる必要はなくなるため、基材６は、液体に対して浸透性を確保する必要がなくなり、木材チップ等も選択可能になり、材料の選択の自由度は向上する。
【００３１】
カバー７は、通気性、通水性及び光透性が確保された織布又は不織布から構成される。このカバー７は、基材６の露出面６ａをカバーして保護している。
【００３２】
カバー７の基材６への固定手段について更に説明すると、このカバー７を、露出面６ａの全体に面状に接触（さらに具体的には密着）させた状態で、基材６に接着又は縫合している。
【００３３】
具体的には、カバー７にウレタン接着剤等のホットメルトを含浸させ、これを、高温（さらに具体的には、１２０〜１６０℃程度）のアイロン又は金属板によって、基材６の露出面６ａに、加熱しながら圧着させる（ホットプレス加工する）ことにより、カバー７を基材６に接着させるか、或いは、ミシン等によって、基材６とカバー７とを、千鳥格子状に縫い合せる。さらには、接着と縫合を組合せて、カバー７を基材６に取付けてもよい。
【００３４】
図６は、シート片の形成手段の一例を示す側面図である。同図に示す通り、シート片３と同様の断面構造を有す細断用シート９を格子状に細断して多数のシート片３を形成してもよい。また、この細断用シート９から必要な形状を切抜き形成した後、残りのものから、シート片３を細断して形成してもよい。これによって無駄を低減できる。
【００３５】
以上のように構成される消臭器具１によれば、一対の結束具４，４によって、空気の流動経路の途中等に自由に設置できる。
【００３６】
また、フレキシブルに変更させることが可能なパイプ状の消臭器具１は、様々な箇所に設置させることが可能であり、汎用性も高い。
【００３７】
また、袋体２の外側からの光は、袋体２を構成するメッシュ生地の透光性によって、袋体２の内部に照射され、基材６及びカバー７を透過して露出面６ａ及び含有層８に達し、二酸化チタンの光触媒としての機能によって消臭される。この露出面６ａ側の消臭されたエアと、袋体２の外部の消臭されていないエアとの交換は、通気性を有する袋体２のメッシュ生地及び基材６及びカバー７を介して行われる。
【００３８】
さらに、二酸化チタンの光触媒としての作用は、前記塗料は断熱効果による温度上昇よって促進され、消臭効果がさらに向上させる。
【００３９】
また、シート片３の含有層８及び露出面６ａは、カバー７によって覆われて保護されているため、シート片３同士が擦れ合いことに起因した有効成分（例えば、二酸化チタンやアルミノ珪酸ソーダガラス）が露出面６ａから剥離することが防止される他、上述の温度上昇の効果がさらに高まる。
【００４０】
ちなみに、微細なアルミノ珪酸ソーダガラスは、無数に積層され、且つ断熱面に沿って平面的にも連鎖した状態になるため、含有層８に達した熱は、アルミノ珪酸ソーダガラスの表面で反射され、これによって透過が抑制されるとともに、アルミノ珪酸ソーダガラスの中空部によって、含有層８に沿った平面的な対流熱や伝導熱も抑制される。
【００４１】
なお、有効成分が露出する露出面６ａ側の空間の通気性及び透光性が確保されればよいため、基材６及びカバー７の少なくとも一方に通気性が確保され、基材６及びカバー７の少なくとも一方に透光性が確保されればよい。
【００４２】
また、シート片３は、様々な姿勢で、袋体２内に収容されているが、図示する例では、充填量が多くなるように、重ねた状態で、収容させてもよい。
【００４３】
次に、図７に基づき、シート片３の変形例について、上述の例と異なる点を説明する。
【００４４】
図７（Ａ），（Ｂ）はそれぞれ変形シートの変形例の構成を示す断面図である。同図（Ａ）に示す例では、含有層８を形成させた基材６を、該含有層８側の面を同一方向に向けて複数枚重ね、他の基材６が重ねられずに露出した露出面６ａをカバー７によって覆っている。
【００４５】
同図（Ｂ）に示す例では、上記塗料を基材６の全体に含浸させて両面に露出面６ａを形成し、この各露出面６ａをカバー７によって覆って保護している。
【符号の説明】
【００４６】
１  消臭器具
２  袋体
３  シート片
４  結束具
６  基材（シート片本体）
６ａ  露出面
７  カバー
８  含有層（断熱層，消臭層）
９  細断用シート
【図１】
0003207598.tif 000003
【図２】
0003207598.tif 000004
【図３】
0003207598.tif 000005
【図４】
0003207598.tif 000006
【図５】
0003207598.tif 000007
【図６】
0003207598.tif 000008
【図７】
0003207598.tif 000009